(57)【要約】【課題】本発明は、キーボード及びノートブック型コンピュータに関し、キーインの操作性を犠牲にすることなく小型化を可能としたキーボード及びノートブック型コンピュータを実現することを目的とする。【解決手段】互いに近接するキートップを有するキーが複数個縦・横に整列配置されたキーボードで、少なくとも英字の為のキー１３を有するキーボード１０において、英字のキー１３のキートップ１６の配列は、縦方向のピッチより横方向のピッチが長く、且つ英字のキー１３のキートップ１６の上面の大きさは、縦方向の長さより横方向の長さが長くなるように構成する。【選択図】図１
2010108524.tif 000002
【特許請求の範囲】
【請求項１】
英字キーを含む複数種類のキーを備え、少なくとも英字キーについてキートップ上面が縦方向よりも横方向が長いキーを、縦方向よりも横方向のピッチを長くして複数配置したキーが配置された領域と、前記キーが配置された領域に対して前記縦方向に隣接しキーが配置されていない領域とを上面に備えた本体部と、
表示部と、
前記表示部が前記本体部の前記上面を覆うように前記本体部と前記表示部とを開閉可能に接続するヒンジ部と、
を有することを特徴とするコンピュータ。
【請求項２】
前記複数配置された英字キーのキートップ上面の横方向と縦方向のピッチ比が１５：１４乃至１５：１３であることを特徴とする請求項１記載のコンピュータ。
【請求項３】
前記複数配置された英字キーのキートップ上面の縦方向と横方向の長さ比が１５：１４乃至１５：１３であることを特徴とする請求項１又は２記載のコンピュータ。
【請求項４】
前記本体部において、前記キーが配置された領域が占める面積と前記キーが配置されていない領域が占める面積との面積比が１．５：１乃至１．３：１であることを特徴とする請求項１乃至３のいずれか１項に記載のコンピュータ。
【請求項５】
前記本体部の大きさが略Ａ５ファイルサイズであることを特徴とする請求項１乃至４のいずれか１項に記載のコンピュータ。
【請求項６】
前記表示部を閉じた場合において、前記表示部が前記キーが配置された領域と前記キーが配置されていない領域とを覆うことを特徴とする請求項１乃至５のいずれか１項に記載のコンピュータ。
【請求項７】
前記コンピュータはノートブック型コンピュータであることを特徴とする請求項１乃至６のいずれか１項に記載のコンピュータ。
【発明の詳細な説明】
【技術分野】
【０００１】
本発明はキーボード及びノートブック型コンピュータに関し、詳しくは、キーインの操作性を犠牲にすることなく小型化を可能としたキーボード及びノートブック型コンピュータに関する。
【背景技術】
【０００２】
従来よりパーソナルコンピュータは次第に小型化され、現在では図３（ａ）に示すような携帯可能なノートブック型コンピータが実現している。これは、キーボード１を有する本体部２と、表示装置３と、該表示装置３と本体部２を接続するヒンジ部４とを有し、前記表示装置３は、本体部２の蓋を構成し開閉自在となっている。また、前記キーボード１は、互いに近接するキートップ５を有するキーが複数個縦・横に整列配置されており、該キーボード１から入力された情報は本体内部に設けられたＣＰＵにより処理されて表示装置３に表示されるようになっている。
【０００３】
上記のようなノートブック型コンピータでは、小型化と共にキーボードも小型化されているため、キートップも小さくなっている。さらに市販のノートブック型コンピータＬｉｂｒｅｔｔｏ  ＣＴＡ２０（株式会社東芝製）ではキートップを横長としてキーボードの小型化を図っている。但しこのキートップの外周には図３（ｂ）の如く傾斜がつけられており、キートップ５の上面（操作面）６は一辺が約８mmの正方形となつている。
【発明の概要】
【発明が解決しようとする課題】
【０００４】
上記従来のノートブック型コンピータでは、キートップの操作面６が小さいためキーイン操作が不便になり、またブラインドタッチを行った場合にミスタッチが多くなる等の問題があった。
【０００５】
本発明は上記従来の問題点に鑑み、キーインの操作性を犠牲にすることなく小型化を可能としたキーボード及びノートブック型コンピュータを実現しようとする。
【課題を解決するための手段】
【０００６】
本発明の請求項１乃至３のキーボードに於いては、互いに近接するキートップを有するキーが複数個縦・横に整列配置されたキーボードで、少なくとも英字の為のキーを有するキーボードにおいて、英字のキーのキートップの配列は、縦方向のピッチより横方向のピッチが長く、且つ英字のキーのキートップの上面の大きさは、縦方向の長さより横方向の長さが長いことを特徴とする。また、それに加えて、上記英字のキーのキートップの配列の横方向のピッチと縦方向のピッチ比は１５：１４乃至１５：１３であることを特徴とし、さらに、上記英字のキーのキートップの上面の大きさの縦方向の長さと横方向の長さとの比は１５：１４乃至１５：１３であることを特徴とする。
【０００７】
この構成により、キーボードの縦方向の長さが短くなり小型化が可能となる。また、キートップ上面の縦方向の長さより横方向の長さを長くすることにより操作面を大きくすることができ、操作性を確保することができる。
【０００８】
また、本発明の請求項４乃至７のノートブック型コンピュータに於いては、互いに近接するキートップを有するキーが複数個縦・横に整列配置され、少なくとも英字の為のキーを有するキーボードと、前記キーボードとＣＰＵとを有する本体部と、表示装置を有して前記本体部を開閉自在に覆う蓋部と、を具備したノートブック型コンピュータにおいて、前記キーボードの英字のキーのキートップの配列は、縦方向のピッチより横方向のピッチが長く、且つ英字のキーのキートップの上面の大きさは、縦方向の長さより横方向の長さが長いことを特徴とする。
【０００９】
また、それに加えて、上記英字のキーのキートップの配列の横方向のピッチと縦方向のピッチ比は１５：１４乃至１５：１３であることを特徴とする。また、上記英字のキートップの上面の大きさの縦方向の長さと横方向の長さとの比は１５：１４乃至１５：１３であることを特徴とする。さらに上記本体部の大きさがほぼＡ５ファイルサイズであり、キーの占める面積とアームレスト部との面積比が１．５：１乃至１．３：１であることを特徴とする。
【００１０】
この構成により、キーボードの縦方向の長さが短くなり小型化が可能となり、また、キートップ上面の縦方向の長さより横方向の長さを長くすることにより操作面を大きくすることができ、操作性を確保することができ、さらにアームレストの面積を大きく取ることにより操作性の向上が可能なノートブック型コンピュータが得られる。
【発明の効果】
【００１１】
本発明のキーボード及びノートブック型コンピュータに依れば、キートップの配列の縦横比及びキートップの操作面の縦横比をそれぞれ１５：１４乃至１５：１３としたことにより、奥行きが小さくなりキーボード及びコンピュータの小型化が可能となり、また横方向のピッチは確保することができるため、ミスタッチを防止することができ、操作性の維持と装置の小型化に寄与することができる。
【図面の簡単な説明】
【００１２】
【図１】本発明のキーボードの実施の形態を示す図で、（ａ）は平面図、（ｂ）及び（ｃ）はキートップの斜視図である。
【図２】本発明のノートブック型コンピュータの実施の形態を示す斜視図である。
【図３】従来のノートブック型コンピュータを示す斜視図である。
【発明を実施するための形態】
【００１３】
図１（ａ）は本発明のキーボードの実施の形態を示す平面図である。本実施の形態のキーボード１０は、機能キー１１、数字キー１２、英字キー１３、シフトキー１４、変換キー１５等のキーを備えており、これらのキーは縦・横に整列し、且つそれぞれ近接して配置されている。
【００１４】
そして、本実施の形態の特徴は少なくとも英字キー１３の配列の横方向の配列ピッチＰ1 の長さと縦方向のピッチＰ2 の長さを同一とせず、横方向の配列ピッチＰ1 を縦方向のピッチＰ2 より大としたことである。なおその横方向と縦方向のピッチ比は１５：１４乃至１５：１３としている。
【００１５】
また、図１（ｂ）の如く、少なくとも英字キー１３のキートップ１６の上面（操作面）１７の横方向の長さｌ1 と縦方向の長さｌ2 を同一とせず、横方向と縦方向の比を１５：１４乃至１５：１３としている。なお、図１（ｃ）の如くキートップの上面の周囲に面取りを施して傾斜を付けた場合も、操作面１７の横縦の比は前記と同様に１５：１４乃至１５：１３とする。なお、キートップの操作面１７の縦方向の長さをあまり小さくするとキーイン操作が不便となるため前記の如き縦横比が好ましい。
【００１６】
このように構成された本実施の形態のキーボードは、英字キー１３のキートップの縦方向の配列ピッチＰ2 を横方向の配列ピッチＰ1 より小さくしたことによりキートップの占める面積が小さくなり、キーボードの小型化が可能になる。また英字キー１３のキートップの操作面の縦横比を横長としたことによりキーインの操作性を犠牲にすることはない。
【００１７】
図２は本発明のノートブック型コンピュータの実施の形態を示す斜視図である。本実施の形態は、同図に示すように、キーボード１０を有し、ＣＰＵを内蔵した本体部２０と、表示装置２１と、該表示装置２１と本体部２０を接続するヒンジ部２２を有し、該表示装置２１は、本体部２０を開閉自在に覆う蓋を構成し蓋部２３となっている。また、前記キーボードは、互いに近接するキートップを有するキーが複数個縦・横に整列配置されている。
【００１８】
そして、キーボードト１０は、少なくとも英字のキートップの配列が、縦方向のピッチより横方向のピッチが長く、且つ英字のキートップの上面の大きさは、縦方向の長さより横方向の長さが長い。そして、その英字のキートップの縦方向のピッチと横方向のピッチとの比は前実施の形態と同様に１５：１４乃至１５：１３としている。また英字のキートップの上面の横方向の長さと縦方向の長さの比は前実施の形態と同様に１５：１４乃至１５：１３である。
【００１９】
このように構成された本実施の形態は、図２の如く本体部２０から蓋部２３を開き、その状態で本体部２０のキーボード１０から情報をキーインすることにより表示装置２１に本体内部のＣＰＵで処理した情報を表示させることができる。この場合、英字のキートップの縦方向の配列ピッチを小さくしたことによるキートップの占める面積の割合が小さくなりアームレスト部２４となる部分の面積が大きくなるため、キーイン操作が楽になる。
【００２０】
また、キートップの操作面は縦方向の長さより横方向の長さを大きくしているためキーインの操作性を損なうことは無い。なお、キートップの縦方向の長さをあまり小さくするとキーインの操作生を損なうため前記のような縦横比が好ましい。また、アームレスト部の面積を確保するためには、キーの占める面積とアームレスト部との面積比を１．５：１乃至１．３：１とすることが好ましい。
【産業上の利用可能性】
【００２１】
本発明のキーボード及びノートブック型コンピュータによれば、キートップの配列の縦横比及びキートップの操作面の縦横比を改良したことにより、奥行きが小さくなりキーボード及びコンピュータの小型化が可能となり、また横方向のピッチは確保することができるため、ミスタッチを防止することができ、操作性の維持と装置の小型化に寄与することができる。
【符号の説明】
【００２２】
１０    キーボード
１１    機能キー
１２    数字キー
１３    英字キー
１４    シフトキー
１５    変換キー
２０    本体部
２１    表示装置
２２    ヒンジ部
２３    蓋部
２４    アームレスト
【図１】
2010108524.tif 000003
【図２】
2010108524.tif 000004
【図３】
2010108524.tif 000005